(57)【要約】【課題】  電球本体を安定的に支持することができ、しかも中心位置を精度よく設定することができるピンチシールド電球を提供する。【解決手段】  電球本体１０に対するブラケット２０の固着を、ピンチシール部１３の周囲にバンド部２１を固着して行う構成とすることで、ピンチシール部１３に過度の応力をかけることなく電球本体１０をホルダ３０にがたつきなく支持する。ブラケット２０のホルダ３０に対する固着を、一対の舌片２３と対応する当接片３２との間で行う構成とすることで、電球本体１０のフィラメント１１の光軸方向に対する位置出しを容易に実現する。基部３３間を連結する連結部３４の弾性部３５によって、ホルダ３０の各当接片３２の離間方向への動きを許容する構成とすることで、ブラケット２０を介して電球本体１０をホルダ３０に支持する際に、各舌片２３位置の誤差を吸収する。【選択図】  図３
2006012557.tif 000002
【特許請求の範囲】
【請求項１】
端部にピンチシール部を有する電球本体と、
前記ピンチシール部の周囲に固着するバンド部及び、当該バンド部から延出し先端部が前記ピンチシール部の両側面にそれぞれ対向する一対の舌片を有するブラケットと、
前記ピンチシール部の両側面にそれぞれ対向して起立し前記各舌片に摺動自在に当接する当接片及び、これら当接片の離間方向への動きを許容して当該当接片の基部を弾性的に連結する連結部を有し、前記舌片と前記当接片との固着によって前記電球本体を支持するホルダと、
前記ホルダの前記当接片の基部を固設するベースと、を備えたことを特徴とするピンチシールド電球。
【発明の詳細な説明】
【技術分野】
【０００１】
本発明は、電球本体の端部にピンチシール部を有するハロゲン電球等のピンチシールド電球に関する。
【背景技術】
【０００２】
一般に、フィラメントを封入する電球本体の端部にピンチシール部（ガラス封止部）を備えたハロゲン電球等のピンチシールド電球は、ピンチシール部にホルダを連結し、当該ホルダを介して電球本体をベースに固定する構成となっている。
【０００３】
この種のピンチシールド電球において、ピンチシール部をホルダに連結保持するための技術として、例えば、特許文献１に開示された技術がある。この技術は、保持プレート（ホルダ）に形成した複数の押え片にてピンチシール部を挟持することで電球カプセル（電球本体）を保持プレートに連結する構成となっている。
【特許文献１】特開平１０−４０８７８号公報
【発明の開示】
【発明が解決しようとする課題】
【０００４】
しかしながら、電球本体のピンチシール部は、その形状や厚み等に比較的製造誤差が生じ易いため、上述の特許文献１の技術のように、押え片によってピンチシール部を挟持する構成では、電球本体とホルダとの間にがたつき等が発生する場合がある。これに対処し、ピンチシール部に対する各押え片の押圧力を高く設定すると、クラック等の発生を十分に抑制することが困難となり、製造時の歩留まりが低下する。
【０００５】
また、上述の特許文献１の技術は、単に押え片によってピンチシール部を挟持する構成であり、ベースの光軸方向に対して電球本体の光中心位置（フィラメント位置）を調整することが困難であるため、特に光中心位置の設定に高い精度が要求される車両灯具用の電球として適用することが困難である。
【０００６】
本発明は上記事情に鑑みてなされたもので、電球本体を安定的に支持することができ、しかも中心位置を精度よく設定することができるピンチシールド電球を提供することを目的とする。
【課題を解決するための手段】
【０００７】
本発明は、端部にピンチシール部を有する電球本体と、前記ピンチシール部の周囲に固着するバンド部及び、当該バンド部から延出し先端部が前記ピンチシール部の両側面にそれぞれ対向する一対の舌片を有するブラケットと、前記ピンチシール部の両側面にそれぞれ対向して起立し前記各舌片に摺動自在に当接する当接片及び、これら当接片の離間方向への動きを許容して当該当接片の基部を弾性的に連結する連結部を有し、前記舌片と前記当接片との固着によって前記電球本体を支持するホルダと、前記ホルダの前記当接片の基部を固設するベースと、を備えたことを特徴とする。
【発明の効果】
【０００８】
本発明のピンチシールド電球によれば、電球本体を安定的に支持することができ、しかも中心位置を精度よく設定することができる。
【発明を実施するための最良の形態】
【０００９】
以下、図面を参照して本発明の形態を説明する。図面は本発明の一形態に係わり、図１はハロゲン電球の要部を示す側面図、図２は図１のＩ−Ｉ断面図、図３はハロゲン電球の要部を示す分解斜視図、図４（ａ）はホルダの平面図であって（ｂ）はホルダの側面図、図５は弾性変形したホルダの平面図、図６（ａ）はホルダの平面図であって（ｂ）はホルダの側面図、図７は弾性変形したホルダの平面図である。
【００１０】
図１〜図３において、符号１はピンチシールド電球の一例としてのハロゲン電球を示す。このハロゲン電球１は、電球本体１０と、この電球本体１０をブラケット２０を介して支持するホルダ３０と、ホルダ３０が固設するベース４０とを有する。
【００１１】
電球本体１０は、光源であるフィラメント１１をハロゲンガスとともに封入する中空のガラス部材であり、フィラメント１１のリード線１２が外部に延出する側の端部（基端部）に、扁平なピンチシール部１３を有する。本形態において、ピンチシール部１３は、幅方向両端部に突条１４が突設する断面略Ｉ字形状をなし、さらに、突条１４で囲まれるピンチシール部１３の両側面上には、係合突部１５が突出している。
【００１２】
ブラケット２０は、ピンチシール部１３の周囲に固着するバンド部２１を構成する一対のバンド部半体２２と、各バンド部半体２２から延設する舌片２３とを有する。
【００１３】
各バンド部半体２２は、例えば、ピンチシール部１３の両側で当該ピンチシール部１３の外郭形状に沿って折曲する板金部材であり、その略中央部に、ピンチシール部１３の係合突部１５に対応して開口する係合孔部２４を有する。さらに、各バンド部半体２２は、両端部にフランジ２５を有する。そして、これらバンド部半体２２は、係合突部１５に対して係合孔部２４が位置決めされ、互いに対向するフランジ２５が溶着等によって接合することにより、ピンチシール部１３の周囲を包み込んだ状態で固着する。すなわち、バンド部半体２２は、ピンチシール部１３を挟んで互いにフランジ結合することで、当該ピンチシール部１３の周囲に固設するバンド部２１を構成する。
【００１４】
また、各舌片２３は、各バンド部半体２２に一体形成された帯状の板金部材であり、その中途が略Ｕ字状に折曲することで、先端部が、ピンチシール部１３の各側面にそれぞれ対向している。
【００１５】
図３，４に示すように、ホルダ３０は、例えば板金部材で一体形成されるもので、略リング状のホルダ本体３１と、ピンチシール部１３の両側面にそれぞれ対向してホルダ本体３１から起立する一対の当接片３２とを有する。ホルダ本体３１は、各当接片３２を支持する基部３３と、これら基部３３を連結する一対の連結部３４とを有する。各連結部３４の両端にはブリッジ状に湾曲した細径の弾性部３５が形成されており、連結部３４は、これら弾性部３５を介して各当接片３２の基部３３を弾性的に連結することで、当接片３２の離間方向への動きを許容する構成となっている（図５参照）。
【００１６】
ここで、連結部３４と各基部３３との連結によって規定される各当接片３２の間隔は、各舌片２３の間隔と略一致する間隔に設定されており、これにより、各当接片３２は、互いに対向する内側面に、各舌片２３の外側面を摺動自在に当接する。そして、電球本体１０に固着したブラケット２０の各舌片２３が溶着等によって各当接片３２に固着することにより、ホルダ３０は、電球本体１０を支持する。
【００１７】
ベース４０は、先端形状が略円筒形状をなす樹脂製のベース本体４１を有する。ベース本体４１の先端部にはリング状の口金４２が固着しており、ブラケット２０を介して電球本体１０を支持したホルダ３０のホルダ本体３１が、溶着等によって口金４２に固着することにより、ベース４０は、電球本体１０を保持する。なお、図２に示すように、電球本体１０から延出するリード線１２は、ベース本体４１の内部に挿入され、当該ベース本体４１の基端側に固設するコネクタ等（図示せず）に電気的に接続する。
【００１８】
次に、上述のハロゲン電球１の組み立て手順について説明する。  
先ず、ブラケット２０が固着した電球本体１０をホルダ３０に差し込み、ブラケット２０の舌片２３とホルダ３０の当接片３２との摺接により、電球本体１０をホルダ３０に仮固定する。その際、ホルダ３０は、連結部３４に形成した弾性部３５の弾性変形によって、ピンチシール部１３の製造誤差等に起因する各舌片２３位置の誤差を吸収する。
【００１９】
次に、フィラメント１１の光中心位置を、ベース４０の基準面（先端面）に対する規格値内とするための位置出しを行う。具体的には、舌片２３と当接片３２との摺動によって、光軸方向に対するフィラメント１１の位置出しを行い、口金４２に対するホルダ３０の相対移動によって、ベース４０基準面の面方向に対するフィラメント１１の位置出しを行う。
【００２０】
そして、このような位置出しを行った後、ホルダ３０の基部３３と口金４２とを溶着等によって固着し、さらに、舌片２３と当接片３２とを溶着等によって固着する。これにより、電球本体１０は、ブラケット２０及びホルダ３０を介して、ベース４０に強固に固着する。
【００２１】
このような形態によれば、ブラケット２０を介して電球本体１０をホルダ３０に支持する構成とし、電球本体１０に対するブラケット２０の固着を、ピンチシール部１３の周囲にバンド部２１を固着して行う構成とすることにより、ピンチシール部１３に過度の応力をかけることなく、電球本体１０をホルダ３０にがたつきなく支持することができる。
【００２２】
また、ブラケット２０のホルダ３０に対する固着を、バンド部２１から延出する一対の舌片２３と、各舌片２３に摺動自在に当接する当接片３２との間で行う構成とすることで、電球本体１０のフィラメント１１の光軸方向に対する位置出しを容易に行うことができる。
【００２３】
しかも、ホルダ３０の各当接片３２は、基部３３間を連結する連結部３４の弾性部３５によって離間方向への動きが許容された構成であるため、ブラケット２０を介して電球本体１０をホルダ３０に支持する際に、ピンチシール部１３の製造誤差等に起因する各舌片２３位置の誤差を吸収することができ、製造時の歩留まりを向上することができる。
【００２４】
ここで、上述の形態では、連結部３４の一部を弾性部３５として形成したホルダ３０の一例について説明したが、例えば、図６，７に示すように、連結部３６全体を弾性部として形成することも可能である。
【図面の簡単な説明】
【００２５】
【図１】ハロゲン電球の要部を示す側面図
【図２】図１のＩ−Ｉ断面図
【図３】ハロゲン電球の要部を示す分解斜視図
【図４】（ａ）はホルダの平面図であって（ｂ）はホルダの側面図
【図５】弾性変形したホルダの平面図
【図６】（ａ）はホルダの平面図であって（ｂ）はホルダの側面図
【図７】弾性変形したホルダの平面図
【符号の説明】
【００２６】
１…ハロゲン電球（ピンチシールド電球）、１０…電球本体、１３…ピンチシール部、２０…ブラケット、２１…バンド部、２２…バンド部半体、２３…舌片、３０…ホルダ、３２…当接片、３３…基部、３４…連結部、３５…弾性部、３６…連結部、４０…ベース
代理人    弁理士      伊    藤      進
【図１】
2006012557.tif 000003
【図２】
2006012557.tif 000004
【図３】
2006012557.tif 000005
【図４】
2006012557.tif 000006
【図５】
2006012557.tif 000007
【図６】
2006012557.tif 000008
【図７】
2006012557.tif 000009